(57)【要約】      （修正有）【課題】誤って送信した送信先の端末装置に格納されている画像データを、画像処理装置自身により削除するようにする。【解決手段】複合機１００は、画像データをＦＴＰサーバ３００に送信する際に必要となる送信設定情報を格納する。削除コマンド送信部は、誤ってＦＴＰサーバ３００に送信された画像データについての送信設定情報を、送信設定情報格納部から抽出する。その後、削除コマンド送信部は、抽出した送信設定情報に基づき、誤って送信したＦＴＰサーバ３００に格納されている画像データの削除をこのＦＴＰサーバ３００に要求する。ＦＴＰサーバ３００は、複合機１００からの削除要求に基づき、この画像データを削除する。【選択図】図１
2008053831.tif 000002
【特許請求の範囲】
【請求項１】
読み取った画像データを端末装置に送信する画像処理装置と、当該画像処理装置から当該画像データを受信する当該端末装置とが通信回線に接続されて構築されている画像処理システムにおいて、
前記画像処理装置は、
前記画像データを前記端末装置に送信する際に必要となる送信設定情報を格納する送信設定情報格納部と、
誤って前記端末装置に送信された画像データについての前記送信設定情報を、前記送信設定情報格納部から抽出する送信設定情報抽出部と、
前記送信設定情報抽出部に抽出された前記送信設定情報に基づき、誤って送信した前記端末装置に格納されている画像データの削除を当該端末装置に要求する削除要求部と、
を備え、
前記端末装置は、
前記画像処理装置から誤って送信されてきた前記画像データを格納する画像データ格納部と、
前記画像処理装の削除要求部から受けた画像データの削除の要求に基づき、前記画像データ格納部に記憶されている当該画像データを削除する画像データ削除部と、
を備えることを特徴とする画像処理システム。
【請求項２】
前記画像処理装置は、
前記送信設定情報格納部に前記送信設定情報が格納されているか否かを判定する送信設定情報格納判定部と、
前記送信設定情報格納判定部により当該送信設定情報格納部に前記送信設定情報が格納されていると判定された場合には、当該送信設定情報格納部に格納されている前記送信設定情報を削除する送信設定情報削除部と、
を更に備え、
前記送信設定情報書込み部が、
前記送信設定情報が格納されていない前記送信設定情報格納部に、前記端末装置に送信した前記画像データについての前記送信設定情報を書き込み、
前記送信設定情報抽出部が、
誤って前記端末装置に送信された画像データについての前記送信設定情報を、前記送信設定情報格納部から抽出することを特徴とする請求項１記載の画像処理システム。
【請求項３】
読み取った画像データを端末装置に送信する画像処理装置と、当該画像処理装置から当該画像データを受信する当該端末装置とが通信回線に接続されて構築されている画像処理システムにおいて、
前記画像処理装置は、
前記画像データを前記端末装置に送信する際に必要となる送信設定情報を格納する送信設定情報格納部と、
前記送信設定情報格納部に格納されている送信設定情報を読み出す送信設定情報読出し部と、
前記送信設定情報読出し部により読み出された前記送信設定情報から、誤って前記端末装置に送信された画像データについての前記送信設定情報の候補となる送信設定情報を抽出する候補抽出部と、
前記候補抽出部により抽出された前記候補となる送信設定情報から、誤って前記端末装置に送信された画像データについての前記送信設定情報を抽出する送信設定情報抽出部と、
前記送信設定情報抽出部により抽出された前記送信設定情報に基づき、誤って送信した前記端末装置に格納されている画像データの削除を当該端末装置に要求する削除要求部と、
を備え、
前記端末装置は、
前記画像処理装置から誤って送信されてきた前記画像データを格納する画像データ格納部と、
前記画像処理装の削除要求部から受けた画像データの削除の要求に基づき、前記画像データ格納部に記憶されている当該画像データを削除する画像データ削除部と、
を備えることを特徴とする画像処理システム。
【請求項４】
前記画像処理装置は、
前記送信設定情報格納部に格納されている前記送信設定情報には、当該画像処理装置を使用したユーザを識別するユーザ情報が記述されており、
当該画像処理装置を利用したユーザを識別するユーザ情報を記憶するユーザ情報格納部と、
前記候補読出し部により読み出された前記候補となる送信設定情報に記述されているユーザ情報のうち、前記ユーザ情報格納部に格納されているユーザ情報に格納されている前記ユーザ情報を取得するユーザ情報取得部と、
を備え、
前記候補抽出部が、
前記送信設定情報読出し部により読み出された前記送信設定情報のうち、前記ユーザ情報取得部から取得したユーザ情報が記述されている前記送信設情報を、誤って前記端末装置に送信された画像データについての前記送信設定情報の候補として抽出することを特徴とする請求項３記載の画像処理システム。
【請求項５】
読み取った画像データを端末装置に送信する画像処理装置において、
前記画像データを前記端末装置に送信する際に必要となる送信設定情報を格納する送信設定情報格納部と、
誤って前記端末装置に送信された画像データについての前記送信設定情報を、前記送信設定情報格納部から抽出する送信設定情報抽出部と、
前記送信設定情報抽出部に抽出された前記送信設定情報に基づき、誤って送信した前記端末装置に格納されている画像データの削除を当該端末装置に要求する削除要求部と、
を備えることを特徴とする画像処理装置。
【請求項６】
前記送信設定情報格納部に前記送信設定情報が格納されているか否かを判定する送信設定情報格納判定部と、
前記送信設定情報格納判定部により当該送信設定情報格納部に前記送信設定情報が格納されていると判定された場合には、当該送信設定情報格納部に格納されている前記送信設定情報を削除する送信設定情報削除部と、
を更に備え、
前記送信設定情報書込み部が、
前記送信設定情報が格納されていない前記送信設定情報格納部に、前記端末装置に送信した前記画像データについての前記送信設定情報を書き込み、
前記送信設定情報抽出部が、
誤って前記端末装置に送信された画像データについての前記送信設定情報を、前記送信設定情報格納部から抽出することを特徴とする請求項５記載の画像処理装置。
【請求項７】
読み取った画像データを端末装置に送信する画像処理装置において、
前記画像データを前記端末装置に送信する際に必要となる送信設定情報を格納する送信設定情報格納部と、
前記送信設定情報格納部に格納されている送信設定情報を読み出す送信設定情報読出し部と、
前記送信設定情報読出し部により読み出された前記送信設定情報から、誤って前記端末装置に送信された画像データについての前記送信設定情報の候補となる送信設定情報を抽出する候補抽出部と、
前記候補抽出部により抽出された前記候補となる送信設定情報から、誤って前記端末装置に送信された画像データについての前記送信設定情報を抽出する送信設定情報抽出部と、
前記送信設定情報抽出部により抽出された前記送信設定情報に基づき、誤って送信した前記端末装置に格納されている画像データの削除を当該端末装置に要求する削除要求部と、
を備えることを特徴とする画像処理装置。
【請求項８】
前記送信設定情報格納部に格納されている前記送信設定情報には、当該画像処理装置を使用したユーザを識別するユーザ情報が記述されており、
当該画像処理装置を利用したユーザを識別するユーザ情報を記憶するユーザ情報格納部と、
前記候補読出し部により読み出された前記候補となる送信設定情報に記述されているユーザ情報のうち、前記ユーザ情報格納部に格納されているユーザ情報に格納されている前記ユーザ情報を取得するユーザ情報取得部と、
を備え、
前記候補抽出部が、
前記送信設定情報読出し部により読み出された前記送信設定情報のうち、前記ユーザ情報取得部から取得したユーザ情報が記述されている前記送信設情報を、誤って前記端末装置に送信された画像データについての前記送信設定情報の候補として抽出することを特徴とする請求項７記載の画像処理装置。
【発明の詳細な説明】
【技術分野】
【０００１】
本発明は、読み取った画像データを端末装置に送信する画像処理装置と、この画像処理装置から当該画像データを受信する当該端末装置とが通信回線に接続されて構築されている画像処理システム及び画像処理装置に関する。
【背景技術】
【０００２】
従来からスキャナーで読み込んだ画像データをこの画像データを特定する登録番号に基づくファイル名を付して記憶部に記憶する入力装置としての画像処理装置と、この画像処理装置の記憶部に記憶されている画像データを閲覧する閲覧装置としての端末装置からなる画像管理システムが提案されている（例えば、特許文献１参照）。
【特許文献１】特開平２０００−６０２６号公報
【発明の開示】
【発明が解決しようとする課題】
【０００３】
しかしながら、特許文献１に記載の画像管理システムでは、画像処理装置が端末装置からの要求に従い、要求された画像データを端末装置に送信するようになっているが、ユーザが誤って端末装置に画像データを送信した場合には、端末装置に格納されている誤って送信した画像データを削除することができないという問題点があった。
【０００４】
そこで、本発明は上述した問題点に鑑み、誤って送信した送信先の端末装置に格納されている画像データを、画像処理装置自身により削除することが可能な画像処理システム及び画像処理装置を提供することを目的とする。
【課題を解決するための手段】
【０００５】
上記課題を解決するため、本発明は、読み取った画像データを端末装置に送信する画像処理装置と、当該画像処理装置から当該画像データを受信する当該端末装置とが通信回線に接続されて構築されている画像処理システムにおいて、前記画像処理装置が、前記画像データを前記端末装置に送信する際に必要となる送信設定情報を格納する送信設定情報格納部と、誤って前記端末装置に送信された画像データについての前記送信設定情報を、前記送信設定情報格納部から抽出する送信設定情報抽出部と、前記送信設定情報抽出部に抽出された前記送信設定情報に基づき、誤って送信した前記端末装置に格納されている画像データの削除を当該端末装置に要求する削除要求部とを備え、前記端末装置が、前記画像処理装置から誤って送信されてきた前記画像データを格納する画像データ格納部と、前記画像処理装の削除要求部から受けた画像データの削除の要求に基づき、前記画像データ格納部に記憶されている当該画像データを削除する画像データ削除部とを備えるという構成を有する。
【０００６】
この構成によれば、画像処理装置の送信設定情報抽出部により、誤って端末装置に送信された画像データについての送信設定情報が送信設定情報格納部から抽出され、削除要求部が送信設定情報抽出部に抽出された送信設定情報に基づき、誤って送信した端末装置に格納されている画像データの削除を端末装置に要求するので、端末装置は、削除要求に従ってその画像データを削除することができる。
【０００７】
また、本発明は、読み取った画像データを端末装置に送信する画像処理装置と、当該画像処理装置から当該画像データを受信する当該端末装置とが通信回線に接続されて構築されている画像処理システムにおいて、前記画像処理装置が、前記画像データを前記端末装置に送信する際に必要となる送信設定情報を格納する送信設定情報格納部と、前記送信設定情報格納部に格納されている送信設定情報を読み出す送信設定情報読出し部と、前記送信設定情報読出し部により読み出された前記送信設定情報から、誤って前記端末装置に送信された画像データについての前記送信設定情報の候補となる送信設定情報を抽出する候補抽出部と、前記候補抽出部により抽出された前記候補となる送信設定情報から、誤って前記端末装置に送信された画像データについての前記送信設定情報を抽出する送信設定情報抽出部と、前記送信設定情報抽出部により抽出された前記送信設定情報に基づき、誤って送信した前記端末装置に格納されている画像データの削除を当該端末装置に要求する削除要求部とを備え、前記端末装置が、前記画像処理装置から誤って送信されてきた前記画像データを格納する画像データ格納部と、前記画像処理装の削除要求部から受けた画像データの削除の要求に基づき、前記画像データ格納部に記憶されている当該画像データを削除する画像データ削除部とを備えるという構成を有する。
【０００８】
この構成によれば、候補抽出部により、送信設定情報読出し部により読み出された送信設定情報から、誤って端末装置に送信された画像データについての送信設定情報の候補となる送信設定情報が抽出されるので、送信設定情報抽出部が抽出する、誤って端末装置に送信された画像データについての送信設定情報を間違いなく抽出することができる。従って、端末装置は、削除要求部からの削除要求に従ってその画像データを間違いなく削除することができる。
【０００９】
また、本発明は、読み取った画像データを端末装置に送信する画像処理装置において、前記画像データを前記端末装置に送信する際に必要となる送信設定情報を格納する送信設定情報格納部と、誤って前記端末装置に送信された画像データについての前記送信設定情報を、前記送信設定情報格納部から抽出する送信設定情報抽出部と、前記送信設定情報抽出部に抽出された前記送信設定情報に基づき、誤って送信した前記端末装置に格納されている画像データの削除を当該端末装置に要求する削除要求部とを備えるという構成を有する。
【００１０】
この構成によれば、画像処理装置の送信設定情報抽出部により、誤って端末装置に送信された画像データについての送信設定情報が送信設定情報格納部から抽出され、削除要求部が送信設定情報抽出部に抽出された送信設定情報に基づき、誤って送信した端末装置に格納されている画像データの削除を端末装置に要求するので、端末装置は、削除要求に従ってその画像データを削除することができる。
【００１１】
また、本発明は、読み取った画像データを端末装置に送信する画像処理装置において、前記画像データを前記端末装置に送信する際に必要となる送信設定情報を格納する送信設定情報格納部と、前記送信設定情報格納部に格納されている送信設定情報を読み出す送信設定情報読出し部と、前記送信設定情報読出し部により読み出された前記送信設定情報から、誤って前記端末装置に送信された画像データについての前記送信設定情報の候補となる送信設定情報を抽出する候補抽出部と、前記候補抽出部により抽出された前記候補となる送信設定情報から、誤って前記端末装置に送信された画像データについての前記送信設定情報を抽出する送信設定情報抽出部と、前記送信設定情報抽出部により抽出された前記送信設定情報に基づき、誤って送信した前記端末装置に格納されている画像データの削除を当該端末装置に要求する削除要求部とを備えるという構成を有する。
【００１２】
この構成によれば、候補抽出部により、送信設定情報読出し部により読み出された送信設定情報から、誤って端末装置に送信された画像データについての送信設定情報の候補となる送信設定情報が抽出されるので、送信設定情報抽出部が抽出する、誤って端末装置に送信された画像データについての送信設定情報を間違いなく抽出することができる。従って、端末装置は、削除要求部からの削除要求に従ってその画像データを間違いなく削除することができる。
【発明の効果】
【００１３】
以上、本発明によれば、誤って送信した送信先の端末装置に格納されている画像データを、画像処理装置自身により削除することができる。
【発明を実施するための最良の形態】
【００１４】
次に、本発明を実施するための最良の形態を説明する。
【実施例１】
【００１５】
図１は本発明に係る実施例１の画像処理システムの構成を示すブロック図である。図１に示すように、画像処理装置としての複合機１００と、端末装置としてのＦＴＰサーバ３００と、同じ機端末装置としての複数のパーソナルコンピュータ４００とがＬＡＮ（Ｌｏｃａｌ  Ｅｒｅａ  Ｎｅｔｗｏｒｋ）５００を介して接続され、ＴＣＰ／ＩＰに従って互いに情報を相互に送受信する。
【００１６】
複合機１００は、原稿画像や写真画像をイメージデータとして読み取り、読み取った原稿画像や写真画像を転送先のＦＴＰサーバ３００に送信する機能を有している画像処理装置であって、図２に示すように、読取部１０１と、画像送信部１０２と、送信操作部１０３と、送信設定情報格納部１０４と、削除操作部１０５と、削除コマンド送信部１０６とを備えて構成されている。
【００１７】
読取部１０１は、例えば複写機に備えるスキャナーのように、原稿画像や写真画像（以下、単に画像という）を送信操作部１０３から指定された解像度で読み取り、読み取った画像から例えば８ビットのデジタル信号でなる画像データを生成し、この画像データを画像送信部１０２に出力する。
【００１８】
画像送信部１０２は、読取部１０１から入力された画像データに送信操作部１０３から入力されたヘッダー情報（画像データを送信するために必要な情報）を有するヘッダーを付加したのち、このた画像データをヘッダー情報に記述されている送信先に例えばＦＴＰサーバ３００にＦＴＰ（Ｆｉｌｅ  Ｔｒａｎｓｆｅｒ  Ｐｒｏｔｏｃｏｌ）、ＣＩＦＳ（Ｃｏｍｍｏｎ  Ｉｎｔｅｒｎｅｔ  Ｆｉｌｅ  Ｐｒｏｔｏｃｏｌ  Ｓｙｓｔｅｍ）のプロトコルを使用して送信する。
【００１９】
送信操作部１０３は、図３に示すように、操作パネル１１０に設けられた高解像度を指定するトグルボタン１０３ａ、中解像度を指定するトルグボタン１０３ｂ、及び低解像度を指定するトルグボタン１０３ｃ、並びに、画像データの送信先として「経理部」を指定するトグルボタン１０３ｄ、「ＦＴＰサーバ３００」を指定するボタン１０３ｅ、端末装置Ａを指定するボタン１０３ｆ等、並びに、送信を実行させる「送信」ボタン１０３ｇを備えている。
【００２０】
また、送信操作部１０３は、操作パネル１１０に設けられた解像度を指定するトグルボタン１０３ａ、１０３ｂ、１０３ｃのいずれかが押下されると、画像を印刷する際に必要となる解像度として、このボタンにより指定された解像度で画像を読み取ることを要求する指示を読取部１０１に出力する。
【００２１】
また、送信操作部１０３は、操作パネル１１０に設けられた画像データの送信先を指定する種々のボタン１０３ｄ、１０３ｅ、１０３ｆのいずれかが押下され、その後、「送信」ボタン１０３ｇが押下されると、読み取った画像からデジタル信号でなる画像データを生成し、この画像データを画像送信部１０２に出力させる要求を読取部１０１に出力するとともに、この画像データにヘッダーを付加するためのヘッダー情報を画像送信部１０２に出力する。
【００２２】
また、送信操作部１０３は、画像送信部１０２から送信した画像データが誤って送信された場合に、この画像データをのちに削除するため必要となる後述する種々のコマンドを生成するための送信設定情報を生成し、この送信設定情報を送信設定情報格納部１０４に書き込む。
【００２３】
ここで、上記送信設定情報には、図４に示すように、「ＪＯＢ  ＩＤ」、「通信プロトコル」、「送信先アドレス」、「ポート番号」、「格納フォルダ」、「ファイル名」、「接続アカウント」、及び、「接続パスワード」が記述されている。「ＪＯＢ  ＩＤ」は、送信処理された画像データを管理するために割り当てられた管理番号を示しており、この例では「１０１」が割り当てられている。「通信プロトコル」は、使用されるプロトコル名を示しており、この例では「ＦＴＰ」が使用されている。「送信先アドレス」は、送信先に割り当てられたアドレスであり、この例では送信先のＦＴＰサーバ３００に割り当てられたＩＰアドレスとして「１９２．１６８．１００．１００」が割り当てられている。
【００２４】
「ポート番号」は、送信先に要求するサービスを指定する番号であり、この例ではサービスとしてＦＴＰに割り当てられている「２１」が指定さている。「格納フォルダ」は、送信された画像データが記憶されている送信先に設けられているフォルダ名を示しており、この例では「／ｕｓｅｒ１／」というＦＴＰサーバ３００に設けられているフォルダ名である。「ファイル名」は、フォルダ内に有する画像データを記憶するファイル名であり、この例では「ｉｍａｇｅ１．ｐｄｆ」というファイル名である。「接続アカウント」は、接続を許可するため情報であり、この例では「ｕｓｅｒ１」という情報である。「接続パスワード」は、送信先にログインするための情報であり、この例では「ｐａｓｓｗｏｒｄ」という情報である。
【００２５】
送信設定情報格納部１０４は、ハードディスク等の不揮発性メモリ、ＲＡＭ等の揮発性メモリで構成され、上述した送信設定情報を格納する。
【００２６】
削除操作部１０５は、誤って送信された画像データを格納している送信先の格納箇所（フォルダ、ファイル）から、この画像データを削除させる「送信取消」ボタン１０５ａを有している。また、削除操作部１０５は、「送信取消」ボタン１０５ａが押下されると、削除コマンド送信部１０６に対して先に誤って送信した画像データの削除を要求する削除指示を出力する。
【００２７】
削除コマンド送信部１０６は、送信設定情報格納部１０４に格納されている先に誤って送信した画像データにつての送信設定情報を読出し、この読み出した送信設定情報に基づき、先に誤って送信した画像データを削除するための種々の削除コマンド（後述する）を生成し、削除する画像データを格納する送信先に対して削除コマンドを送信する。なお、削除コマンド送信部１０６は、送信設定情報格納部１０４に格納されている送信設定情報が直近に送信された画像データについてのものしか格納されていないので、この直近の画像データのみを削除する削除コマンドを送信する。また、削除コマンド送信部１０６は、送信設定情報格納部１０４に送信設定情報が格納されていない場合には、削除コマンドを生成することができず、削除コマンドを送信しない。
【００２８】
次に、実施例１の画像処理システムの動作を、１）送信操作部において設定された送信設定情報が送信設定情報格納部１０４に格納されるまでの動作、２）誤って送信した画像を削除するまでの動作、３）複合機１００とＦＴＰサーバ３００との間で行われる通信の動作に分けて説明する。
【００２９】
１）送信操作部において設定された送信設定情報が送信設定情報格納部１０４に格納されるまでの動作について
【００３０】
図５は、送信操作部において設定された送信設定情報が送信設定情報格納部に格納されるまでの動作を示すフローチャートである。まず、操作パネル１１０に設けられている送信先を指定する「ＦＴＰサーバ」ボタン１０３ｅがユーザにより押下され、次に、ユーザにより「送信」ボタン１０３ｇが押下されると（ステップＳ１）、送信操作部１０３は、操作パネル１０からＦＴＰサーバ３００に対する送信を要求する指示（以下、送信指示という）が入力される（ステップＳ２）。その後、送信操作部１０３は、送信設定情報格納部１０４に既に送信設定情報が格納されているか否かを判定する（ステップＳ３）。
【００３１】
送信操作部１０３は、送信設定情報格納部１０４に既に送信設定情報が格納されていると判定した場合には（ステップＳ３；ＹＥＳ）、送信設定情報格納部１０４に既に格納されている設定情報を削除する（ステップＳ４）。その後、送信操作部１０３は、図４に示す送信設定情報を生成し、この生成した送信設定情報を送信設定情報格納部１０４に格納し（ステップＳ５）、処理を終了する。
【００３２】
一方、送信操作部１０３は、送信設定情報格納部１０４に既に送信設定情報が格納されていないと判定した場合には（ステップＳ３；ＮＯ）、ステップＳ５に処理を移行する。
【００３３】
２）誤って送信した画像を削除するまでの動作について
【００３４】
図６は、誤って送信した画像を削除するまでの動作を示すフローチャートである。まず、操作パネル１１０に設けられている「送信取消」ボタン１０５ａがユーザにより押下されると、削除操作部１０５は、先に誤って送信した画像の削除を要求する指示（以下、削除指示という）を削除コマンド送信部１０６に出力する（ステップＳ１１）。
【００３５】
削除コマンド送信部１０６は、削除操作部１０５から削除指示が入力されると、送信設定情報格納部１０４に送信設定情報が格納されているか否かを問い合わせる（ステップＳ１２）。その後、削除コマンド送信部１０６は、送信設定情報格納部１０４から問い合わせに対する回答に基づき、送信設定情報が送信設定情報格納部１０４に格納されているか否かを判定する（ステップＳ１３）。
【００３６】
削除コマンド送信部１０６は、送信設定情報格納部１０４から送信設定情報が格納されていないとの回答を受けると、送信設定情報が送信設定情報格納部１０４に格納されていないとものと判定し（ステップＳ１３；いない）、先に誤って送信した画像データを記憶するファイルを削除する削除コマンドをＦＴＰサーバ３００に送信することを中止し（ステップＳ１４）、処理を終了する。一方、削除コマンド送信部１０６は、送信設定情報格納部１０４から送信設定情報が格納されているとの回答を受けると、送信設定情報が送信設定情報格納部１０４に格納されているものと判定し（ステップＳ１３；いる）、送信設定情報格納部１０４から送信設定情報を読出し（ステップＳ１５）。次に、削除コマンド送信部１０６は、読み出した送信設定情報を用い削除コマンドを生成し、この生成した削除コマンドをＦＴＰサーバ３００にＬＡＮ４００を介して送信し（ステップＳ１６）、処理を終了する。
【００３７】
ここで、誤って送信した画像データを記憶するＦＴＰサーバ３００のファイル名が図４に示すように「ｉｍａｇｅ１．ｐｄｆ」の場合には、ＦＴＰサーバ３００に送信する削除コマンドは、「ＤＥＬＥ  ｉｍａｇｅ１．ｐｄｆ」である。
【００３８】
３）複合機とＦＴＰサーバとの間で行われる動作に分けて説明する。
まず、複合機１００の削除コマンド送信部１０６は、ＴＣＰ／ＩＰで送信先アドレスが「１９．１６８．１００．１００」が割り当てられているＦＴＰサーバ３００のポート番号が「２１」を示すポートと間での接続を確立する（図７中のＳ３１参照）。
【００３９】
次に、削除コマンド送信部１０６は、ＦＴＰサーバ３００に対して「ＵＳＥＲ  ｕｓｅｒ１」というコマンドを送信し、以後、ＦＴＰサーバ３００との間で通信を行うことを許可されるためのアカウントを送信する（図７中のＳ３２参照）。なお、このとき、送信設定情報に記述されている「接続アカウント」が使用される。
【００４０】
ＦＴＰサーバ３００は、「ｕｓｅｒ１」というアカウントが登録されていれば、「３３１  Ｐａｓｓｗｏｒｄ  ｒｅｑｕｉｒｅｄ  ｆｏｒ  ｕｓｅｒ１」という応答を複合機１００に送信する（図７中のＳ３３参照）。これで、複合機１００は、ＦＴＰサーバ３００との間で、以後、通信を行うことが許可された状態になる。
【００４１】
削除コマンド送信部１０６は、上記応答を受信し、ＦＴＰサーバ３００によりアカウントが確認されると、「ＰＡＳＳ  ｐａｓｓｗｏｒｄ」というコマンドをＦＴＰサーバ３００に送信する（図７中のＳ３４参照）。このコマンド中の「ｐａｓｓｗｏｒｄ」は、ＦＴＰサーバ３００に対してログインに必要なパスワードであって、送信設定情報に記述されている「接続パスワード」が使用される。
【００４２】
ＦＴＰサーバ３００は、接続パスワード「ｐａｓｓｗｏｒｄ」が登録されていれば、「２３０  Ｕｓｅｒ  ｕｓｅｒ１  ｌｏｇｇｅｄ  ｉｎ」という応答を複合機１００に送信する（図７中のＳ３５参照）。これで、複合機１００は、ＦＴＰサーバ３００との間で、以後、ログインが許可された状態になる。
【００４３】
削除コマンド送信部１０６は、先に送信した画像を格納するフォルダにアクセスするために、「ＣＷＤ  ／ｕｓｅｒ１／」というコマンドを送信する（図７中のＳ３６参照）。コマンドに記述されている「ｕｓｅｒ１」は、送信設定情報格納部１０４から読み出した送信設定情報に記述されている格納フォルダ「／ｕｓｅｒ１／」が使用される。
【００４４】
ＦＴＰサーバ３００は、内蔵するフォルダ名が「／ｕｓｅｒ１／」に複合機１００からアクセスされると、フォルダ名が「／ｕｓｅｒ１／」にアクセスを許可することを示す「２００  ＯＫ」という応答を複合機１００に送信する（図７中のＳ３７参照）。
【００４５】
削除コマンド送信部１０６は、上記「２００  ＯＫ」という応答を受信すると、上記フォルダ「／ｕｓｅｒ１／」に格納されている画像データのファイルを削除するために、「ＤＥＬＥ  ｉｍａｇｅ１．ｐｄｆ」というコマンドをＦＴＰサーバ３００に送信する（図７中のＳ３８参照）。このコマンドに記述されている「ｉｍａｇｅ１．ｐｄｆ」というファイル名は、送信設定情報格納部１０４から読み出した送信設定情報に記述されているファイル名「ｉｍａｇｅ１．ｐｄｆ」が使用される。ここで、この例では、ＦＴＰサーバ３００に誤って送信した画像データのファイルが１つであるので、ＦＴＰサーバ３００に送信する上記コマンドは、１回のみ送信すればよい。
【００４６】
その後、ＦＴＰサーバ３００は、上記コマンドに記述された「ｉｍａｇｅ１．ｐｄｆ」というファイルを削除すると、ファイル「ｉｍａｇｅ１  ｐｄｆ」を削除した旨を示す「２００  ＯＫ」という応答を複合機１００に送信する（図７中のＳ３９参照）。
【００４７】
削除コマンド送信部１０６は、「２００  ＯＫ」という応答を受信すると、ＦＴＰ２００との間の接続を切断するために、「ＬＯＧＯＵＴ」というコマンドをＦＴＰ２００に送信する（図７中のＳ４０参照）。これで、複合機１００とＦＴＰ２００との間の通信回線は切断された状態になる。
【００４８】
この実施例によれば、複合機１００の削除コマンド送信部１０６が、誤ってＦＴＰサーバ３００に送信された画像データについての送信設定情報が送信設定情報格納部１０４から抽出し、この送信設定情報に基づき、誤って送信したＦＴＰさサーバ３００に格納されている画像データの削除を端末装置に要求するので、ＦＴＰサーバ３００は、削除要求に従ってその画像データを削除することができる。
【００４９】
複合機１００の送信操作部１０３により、画像データを送信する際に、送信設定情報格納部１０４に送信設定情報が格納されているか否かが判定され、そして、この送信設定情報格納部１０４に送信設定情報が格納されていると判定された場合には、格納されている送信設定情報が削除されるので、削除コマンド送信部１０６は、送信設定情報格納部１０４に格納されている送信設定情報が直近に送信された画像データについての削除コマンドを送信する。従って、ユーザは誤って画像データを送信したことを直ちに判った場合には、間違いなくその画像データを削除することができる。
【実施例２】
【００５０】
図８は、本発明に係る実施例２の画像処理システムの構成を示すブロック図である。図８に示すように、この画像処理システムは、実施例１の画像処理システムと同様、画像処理装置としての複合機２００と、ＦＴＰサーバ３００と、パーソナルコンピュータ（以下、ＰＣという）４００とがＬＡＮ（Ｌｏｃａｌ  Ｅｒｅａ  Ｎｅｔｗｏｒｋ）５００を介して接続され、ＴＣＰ／ＩＰに従って互いに情報を相互に送受信する。
【００５１】
複合機２００は、実施例１の複合機１００と同様、原稿画像や写真画像をイメージデータとして読み取り、読み取った原稿画像や写真画像を転送先のＦＴＰサーバ３００に送信する機能を有している画像処理装置であって、図９に示すように、読取部２０１と、画像送信部２０２と、送信操作部２０３と、送信設定情報格納部２０４と、削除操作部２０５と、削除コマンド送信部２０６と、ユーザ情報入力部２０７と、ユーザ判別部２０８と、削除公報抽出部２０９とを備えて構成されている。ここで、読取部２０１及び画像送信部２０２のそれぞれは、実施例１の読取部１０１及び画像送信部２０２と同様な機能を有するのでその説明を省略する。
【００５２】
送信操作部１０３は、図１０に示すように、高解像度を指定するトグルボタン２０３ａ、中解像度を指定するトルグボタン２０３ｂ、及び低解像度を指定するトルグボタン２０３ｃ、並びに、画像データの送信先として「経理部」を指定するトグルボタン２０３ｄ、「ＦＴＰサーバ３００」を指定するボタン２０３ｅ、端末装置Ａを指定するボタン２０３ｆ等、並びに、送信を実行させる「送信」ボタン１０３ｇが送信操作パネル２１０に設けられている。
【００５３】
また、送信操作部２０３は、送信操作パネル２１０に設けられた解像度を指定するトグルボタン２０３ａ、２０３ｂ、２０３ｃのいずれかが押下されると、画像を印刷する際に必要となる解像度として、このボタンにより指定された解像度で画像を読み取ることを要求する指示を読取部２０１に出力する。
【００５４】
また、送信操作部２０３は、送信操作パネル２１０に設けられた画像データの送信先を指定する種々のトルグボタン２０３ｄ、２０３ｅ、２０３ｆのいずれかが押下され、その後、「送信」ボタン１０３ｇが押下されると、読み取った画像からデジタル信号でなる画像データを生成し、この画像データを画像送信部２０２に出力させる要求を読取部２０１に出力するとともに、この画像データにヘッダーを付加するためのヘッダー情報を画像送信部２０２に出力する。
【００５５】
また、送信操作部２０３は、画像送信部１０２から送信した画像データが誤って送信された場合に、この画像データをのちに削除するため必要となる後述する種々のコマンドを生成するための送信設定情報を生成し、この送信設定情報を送信設定情報格納部２０４に書き込む。
【００５６】
ここで、上記設定情報は、図１１に示すように、「ユーザ情報」、「送信時刻、「通信プロトコル」、「送信先アドレス」、「ポート番号」、「格納フォルダ」、「ファイル名」、「接続アカウント」、及び、「接続パスワード」が記述されている。「ユーザ情報」は、ユーザ情報入力部２０７から入力された画像データを送信先に送信したユーザを識別するユーザ情報であり、符号Ａに示すこの例では「１１１２３３」を示している。「送信時刻」は、ユーザが画像データを送信先に送信した時刻であり、符号Ａに示すこの例では、「４／１  １０：００」に送信先に画像データを送信したことを示している。「通信プロトコル」は、使用されるプロトコル名を示しており、この例では「ＦＴＰ」が使用されている。「送信先アドレス」は、送信先に割り当てられたアドレスであり、この例では送信先のＦＴＰアドレスがＩＰアドレスとして「１９２．１６８．１００．１００」が割り当てられている。
【００５７】
「ポート番号」は、送信先に有するアプリケーションにデータを供給する箇所を指定する番号を示しており、この例ではＦＴＰサーバ３００に有するアプリケーションに供給する箇所として「２１」が指定さている。「格納フォルダ」は、送信した画像データのＦＴＰサーバ３００におけるフォルダ名を示しており、この例では「／Ｙａｍａｄａ／」というフォルダ名である。「ファイル名」は、フォルダ内に有する送信した画像データを記憶するファイル名であり、この例では「ｉｍａｇｅ１．ｐｄｆ」というファイル名である。「接続アカウント」は、接続を許可するため情報であり、この例では「Ｙａｍａｄａ」という情報である。「接続パスワード」は、送信先に接続するための情報であり、この例では「ｐａｓｓｗｏｒｄ」という情報である。
操作パネルに設けられているテンキー等の操作キーを使用して入力された数値でなるユーザ情報が入力される。
【００５８】
送信設定情報格納部２０４は、ハードディスク等の不揮発性メモリ、ＲＡＭ等の揮発性メモリで構成され、上述した送信設定情報及びユーザ情報を格納する。
【００５９】
削除操作部２０５は、図１２に示すように、「送信取消」ボタン２０５ａ、「リストボタン」２０５ｂ、「選択ボタン」２０５ｃ、及び「上下選択ボタン」２０５ｄ、並びに、リスト表示画面２０５ｅが削除操作パネル２２０に設けられている。「送信取消」ボタン２０５ａは、誤って送信した画像データを格納している送信先のファイルから削除するときに使用されボタンであり、「リストボタン」２０５ｂは、先に送信した画像データのうち削除可能な画像データの内容を示す情報（以下、削除可能画像データ情報という）を「リスト表示画面」２０５ｅに表示させるときに使用される。「選択ボタン」２０５ｃは、リスト表示画面２０５ｅに表示されている削除可能画像データ情報の内容を示す情報のうち、削除する画像データを特定するときに使用され、「上下選択ボタン」２０５ｄは、リスト表示画面２０５ｅに表示されている削除可能画像データ情報を指定するときに使用される。「リスト表示画面」２０５ｅは、削除可能画像データ情報が表示される。上記削除可能画像データ情報は、削除可能画像データ情報の指定、先に送信した画像データの送信日時、送信者名、送信先、及びファイル名を有している。
【００６０】
また、削除操作部２０５は、「送信取消」ボタン２０５ａがユーザにより押下されると、「選択」ボタン２０５ｃにより特定されたリスト表示画面２０５ｅに表示された削除可能画像データ情報に示された画像データの削除を要求する削除指示を出力する。
【００６１】
削除コマンド送信部２０６は、送信設定情報格納部２０４に格納されている送信設定情報を読出し、この読み出した送信設定情報を使用して、削除操作部２０５から削除要求された画像データを削除するための種々の削除コマンド（後述する）を生成し、削除する画像データを格納する送信先に削除コマンドを送信する。
【００６２】
ユーザ情報入力部２０７は、ユーザ情報入力パネル（図示せず）にテンキー等の操作キー、設定ボタン、及び液晶装置が設けられている。操作キーは、この実施例２の複合機２００を使用するユーザを識別する数値でなる情報（以下、ユーザ情報という）を入力するときに使用される。設定ボタンは、操作キーにより入力されたユーザ情報をユーザ判別部２０８に出力するときに使用される。液晶装置は、入力されたユーザ情報をユーザが確認するときに使用される。
【００６３】
ユーザ判別部２０８は、ユーザ情報を一時記憶する記憶部を有しており、ユーザ情報入力部２０７からユーザ情報が入力されると、ユーザ情報を記憶部に記憶するとともに、このユーザ情報を送信操作部２０３に出力する。また、ユーザ判別部２０８は、削除候補抽出部２０９から削除操作パネル２１０ｅに有するリスト表示画面２０５ｅに表示させる削除可能画像データを特定するために必要となるユーザ情報を判別する。
【００６４】
すなわち、ユーザ判別部２０８は、削除候補抽出部２０９から入力された、削除可能画像データ情報の候補となるデータに記述されている全てのユーザ情報が入力されると、これらの全てのユーザ情報について、ユーザ情報が記憶部に記憶されているか否かを判定する。そして、ユーザ判別部２０８は、ユーザ情報が記憶部に記憶されていると判定した場合には、これらのユーザ情報を削除候補抽出部２０９に出力する。
【００６５】
また、ユーザ判別部２０８は、ユーザ情報入力部２０７から入力され、記憶部に記憶したユーザ情報を、入力した時点から予め設定された時間が経過すると消去する。
【００６６】
削除候補抽出部２０９は、削除操作パネル２２０のリスト表示画面２０５ｅに削除可能画像データ情報を表示させる要求が削除操作部２０５から入力されると、送信設定情報格納部２０４に記憶されている送信設定情報を読み出し、この送信設定情報に記述されているユーザ情報のすべてをユーザ判別部２０８に出力するとともに、これらのユーザ情報が削除候補可能画像データ情報を生成するものであるか否かを判別してもらう要求を出力する。
【００６７】
また、削除候補抽出部２０９は、ユーザ判別部２０８から削除可能画像データ情報を生成するためのユーザ情報が入力されると、先に送信設定情報格納部２０４から読み出した送信設定情報からこの入力されたユーザ情報が記述された送信設定情報を抽出し、この抽出した送信設定情報をもとにして、削除操作パネル２２０のリスト表示画面２０５ｅに表示さ削除可能画像データ情報が記述された削除可能画像データリストを生成し、このリストを削除操作部２０５に出力する。
【００６８】
次に、実施例２の画像処理システムの動作を、１）送信操作部において設定された送信設定情報が送信設定情報格納部１０４に格納されるまでの動作、２）誤って送信した画像を削除するまでの動作、３）複合機１００とＦＴＰサーバ３００との間で行われる動作に分けて説明する。
【００６９】
１）送信操作部において設定された送信設定情報が送信設定情報格納部１０４に格納されるまでの動作について
【００７０】
図１３は、送信操作部において設定された送信設定情報が送信設定情報格納部に格納されるまでの動作を示すフローチャートである。まず、ユーザによりユーザ情報入力パネルに設けられている操作キーを使用してユーザ情報が入力されたのち、設定ボタンが押下されると、ユーザ情報入力部２０７は、記憶部にこのユーザ情報を記憶する（ステップＳ５１）。
【００７１】
その後、送信操作パネル２１０に設けられているＦＴＰサーバ３００のボタン２０３ｅがユーザにより押下され、かつ、「送信」ボタン２０３ｇが押下され（ステップＳ５２）、送信操作パネル２１０からＦＴＰサーバ３００に対する送信を要求する送信指示が入力されると（ステップＳ５３）、送信操作部１０３は、ユーザ判別部２０８から画像データの送信先のユーザ情報を取得する（ステップＳ５４）。
【００７２】
送信操作部１０３は、その後、図１１に示すような送信設定情報を生成し、この生成した送信設定情報を送信設定情報格納部１０４に格納し（ステップＳ５５）、処理を終了する。
【００７３】
２）誤って送信した画像を削除するまでの動作について
【００７４】
図１４は、誤って送信した画像を削除するまでの動作を示すフローチャートである。まず、ユーザによりユーザ情報入力パネルに設けられている操作キーを使用してユーザ情報が入力されたのち、設定ボタンが押下されると、ユーザ情報入力部２０７は、記憶部にこのユーザ情報を記憶する（ステップＳ６１）。その後、削除操作部１０５は、削除操作パネル２２０に設けられている「送信取消」ボタン２０５ａがユーザにより押下された情報が入力されると、削除候補抽出部２０９に対して削除可能画像データリストを要求する指示を出力する（ステップＳ６２）。
【００７５】
すると、削除候補抽出部２０９は、送信設定情報格納部２０４から格納されている全ての送信設定情報を読み出す（ステップＳ６３）。次に、削除候補抽出部２０９は、読み出した送信設定情報の全てのユーザ情報をユーザ判別部２０８に出力するとともに、これらのユーザ情報のうちユーザ判別部２０８に有する記憶部に記憶されているものを知らせてほしい旨の要求をユーザ判別部２０８に出力する（ステップＳ６４）。
【００７６】
その後、ユーザ判別部２０８は、削除候補抽出部２０９から上記要求が入力されると、入力されたユーザ情報のすべてについて、記憶部に同じユーザ情報が記憶されているか否かを判定する（ステップＳ６５）。その結果、ユーザ判別部２０８は、削除候補抽出部２０９から入力されたユーザ情報のうち、記憶部に同じユーザ情報が記憶されているユーザ情報を削除候補抽出部２０９に出力する（ステップＳ６６）
【００７７】
削除候補抽出部２０９は、ユーザ判別部２０８からユーザ情報が入力されると、先に読み出した送信設定情報の中から入力されたユーザ情報が記述された送信設定情報を抽出する（ステップＳ６７）。次に、削除候補抽出部２０９は、抽出した送信設定情報に基づき、指定、送信日時、送信者名、送信先、ファイル名を有する削除可能画像データが記述された削除可能画像データリストを生成し（ステップＳ６８）、この削除可能画像データリストを削除操作部２０５に出力する。
【００７８】
すると、削除操作部２０５は、削除候補抽出部２０９から入力された削除可能データリストに基づき、削除操作パネル２２０に設けられているリスト表示画面２０５ｅに削除可能画像データ情報を表示する（ステップＳ６９）。
【００７９】
その後、ユーザにより、リスト表示画面２０５ｅに表示されている削除可能画像データ情報のうち、誤って送信し削除したいとファイル名が表示されたもの表示されている指定欄の箇所が、「上下選択」ボタン２０５ｄを使用して指定され、更に、「選択」ボタンが押下されると、削除操作部２０５は、削除可能画像データ情報を特定する（ステップＳ７０）。その後、ユーザにより、「送信取消」ボタン２０５ａが押下されると、削除操作部２０５は、特定した削除画像データ情報を削除コマンド送信部２０６に出力するとともに、出力した削除可能画像データ情報に記述されたファイル名のファイルを削除させる削除指示を削除コマンド送信部２０６に出力する（ステップＳ７１）。
【００８０】
例えば、リスト表示画面２０５ｅに表示されている削除可能画像データ情報のうち、ユーザにより、図１２中の符号Ａに示す削除可能画像データ情報が特定された場合には、送信日時が「４／１  １０：００」で、送信者が「Ｙａｍａｄａ」で、「送信先」が「ＦＴＰサーバ」で、かつ、ファイル名が「ｉｍａｇｅ１．ｐｄｆ」が記述された削除可能画像データが削除コマンド送信部２０６に出力される。
【００８１】
削除コマンド送信部２０６は、削除操作部１０５から削除指示が入力されると、先に入力された削除可能画像データ情報が記述されている送信設定情報を送信設定情報格納部１０４から読み出す（ステップＳ７２）。その後、削除コマンド送信部２０６は、読み出した送信設定情報を用い、誤って送信した画像データを記憶するファイルを削除するための複数の削除コマンドを生成し、この生成した複数の削除コマンドを送信先にＬＡＮ５００を介して送信し（ステップＳ７３）、処理を終了する。
【００８２】
例えば、削除操作部２０５から入力された削除可能画像データ情報が図１２中の符号Ａに示す削除可能画像データ情報である場合には、削除コマンドの送信先は、ＦＴＰサーバ３００に送信される。
【００８３】
３）複合機とＦＴＰサーバとの間で行われる動作に分けて説明する。
まず、複合機１００の削除コマンド送信部１０６は、ＴＣＰ／ＩＰで送信先アドレスが「１９２．１６８．１００．１００」が割り当てられているＦＴＰサーバ３００のポート番号が「２１」を示すポートと間での接続を確立する（図１５中のＳ８１参照）。
【００８４】
次に、削除コマンド送信部１０６は、ＦＴＰサーバ３００に対して「ＵＳＥＲ  Ｙａｍａｄａ」というコマンドを送信し、以後、ＦＴＰサーバ３００との間で通信を行うことを許可されるためのアカウントを送信する（図１５中のＳ８２参照）。なお、このとき、送信設定情報に記述されている「接続アカウント」が使用される。
【００８５】
ＦＴＰサーバ３００は、「Ｙａｍａｄａ」というアカウントが登録されていれば、「３３１  Ｐａｓｓｗｏｒｄ  ｒｅｑｕｉｒｅｄ  ｆｏｒ  Ｙａｍａｄａ」という応答を複合機２００に送信する（図１５中のＳ８３参照）。これで、複合機２００は、ＦＴＰサーバ３００との間で、以後、通信を行うことが許可された状態になる。
【００８６】
削除コマンド送信部１０６は、上記応答を受信し、ＦＴＰサーバ３００によりアカウントが確認されると、「ＰＡＳＳ  ｐａｓｓｗｏｒｄ」というコマンドをＦＴＰサーバ３００に送信する（図１５中のＳ８４参照）。このコマンド中の「ｐａｓｓｗｏｒｄ」は、ＦＴＰサーバ３００に対してログインに必要なパスワードであって、送信設定情報に記述されている「接続パスワード」が使用される。
【００８７】
ＦＴＰサーバ３００は、接続パスワードが「ｐａｓｓｗｏｒｄ」が登録されていれば、「２３０  Ｕｓｅｒ  Ｙａｍａｄａ  ｌｏｇｇｅｄ  ｉｎ」という応答を複合機２００に送信する（図１５中のＳ８５参照）。これで、複合機１００は、ＦＴＰサーバ３００との間で、以後、ログインが許可された状態になる。
【００８８】
削除コマンド送信部１０６は、先に送信した画像を格納するフォルダにアクセスするために、「ＣＷＤ  ／Ｙａｍａｄａ／」というコマンドを送信する（図１５中のＳ８６参照）。コマンドに記述されている「／Ｙａｍａｄａ／」は、送信設定情報格納部１０４から読み出した送信設定情報に記述されている格納フォルダ「／Ｙａｍａｄａ／」が使用される。
【００８９】
ＦＴＰサーバ３００は、内蔵するフォルダ名が「／Ｙａｍａｄａ／」に複合機２００からアクセスされると、フォルダ名が「／ｕｓｅｒ１／」にアクセスを許可することを示す「２００  ＯＫ」という応答を複合機２００に送信する（図１５中のＳ８７参照）。
【００９０】
削除コマンド送信部１０６は、上記「２００  ＯＫ」という応答を受信すると、上記フォルダ「／Ｙａｍａｄａ／」に格納されている画像データのファイルを削除するために、「ＤＥＬＥ  ｉｍａｇｅ１．ｐｄｆ」というコマンドをＦＴＰサーバ３００に送信する（図１５中のＳ８８参照）。このコマンドに記述されている「ｉｍａｇｅ１．ｐｄｆ」というファイル名は、送信設定情報格納部１０４から読み出した送信設定情報に記述されているファイル名「ｉｍａｇｅ１．ｐｄｆ」が使用される。ここで、この例では、ＦＴＰサーバ３００に誤って送信した画像データのファイルが１つであるので、ＦＴＰサーバ３００に送信する上記コマンドは、１回のみ送信すればよい。
【００９１】
その後、ＦＴＰサーバ３００は、上記コマンドに記述された「ｉｍａｇｅ１．ｐｄｆ」というファイルを削除すると、ファイル「ｉｍａｇｅ１．ｐｄｆ」を削除した旨を示す「２００  ＯＫ」という応答を複合機２００に送信する（図１５中のＳ８９参照）。
【００９２】
削除コマンド送信部１０６は、「２００  ＯＫ」という応答を受信すると、ＦＴＰ２００との間の接続を切断するために、「ＬＯＧＯＵＴ」というコマンドをＦＴＰ２００に送信する（図１５中のＳ９０参照）。これで、複合機２００とＦＴＰ２００との間の通信回線は切断された状態になる。
【００９３】
この実施例によれば、複合機２００の削除候補抽出部２０９により、誤ってＦＴＰサーバ３００に送信された画像データについての送信設定情報の候補となる送信設定情報が抽出されるので、誤って端末装置に送信された画像データについての送信設定情報を間違いなく抽出することができる。従って、複合機１００は、削除操作部２０５からの削除要求に従ってその画像データを間違いなく削除することができる。
【００９４】
削除候補抽出部２０９が、画像データの削除する候補となる送信設定情報に記述されているユーザ情報のうち、ユーザ判別部２０８から、複合機１００を利用したユーザを識別するユーザ情報をユーザ判別部２０８から取得するので、誤ってＦＴＰサーバ３００に送信された画像データについての送信設定情報の候補として効率よく抽出することができる。
【図面の簡単な説明】
【００９５】
【図１】本発明に係る画像処理システムの実施例１の構成を示すブロック図である。
【図２】本発明に係る画像処理システムの実施例１を構築する画像処理装置の構成を示すブロック図である。
【図３】複合機に設けられている操作パネルの一例を示す図である。
【図４】送信設定情報の一例を示す図である。
【図５】複合機が送信設定情報を送信設定情報格納部に格納するまでの動作を示すフローチャートである。
【図６】複合機が画像データを削除するまでの動作を示すフローチャートである。
【図７】画像データを削除するときの複合機とＦＴＰサーバとの間で行われる通信の内容を示すシーケンス図である。
【図８】本発明に係る画像処理システムストの実施例２の構成を示すブロック図である。
【図９】本発明に係る画像処理システムの実施例２を構築する画像処理装置の構成を示すブロック図である。
【図１０】複合機に設けられている送信操作パネルの一例を示す図である。
【図１１】送信設定情報の一例を示す図である。
【図１２】複合機に設けられている削除操作パネルの一例を示す図である。
【図１３】複合機が送信設定情報を送信設定情報格納部に格納するまでの動作を示すフローチャートである。
【図１４】複合機が画像データを削除するまでの動作を示すフローチャートである。
【図１５】画像データを削除するときの複合機とＦＴＰサーバとの間で行われる通信の内容を示すシーケンス図である。
【符号の説明】
【００９６】
１００、２００  複合機
１０１、２０１  読取部
１０２、２０２  画像送信部
１０３、２０３  送信操作部
１０４、２０４  送信設定情報格納部
１０５、２０５  削除操作部
１０６、２０６  削除コマンド送信部
２０７  ユーザ情報入力部
２０８  ユーザ判別部
２０９  削除候補抽出部
１１０  操作パネル
２１０  送信操作パネル
２２０  削除操作パネル
【図１】
2008053831.tif 000003
【図２】
2008053831.tif 000004
【図３】
2008053831.tif 000005
【図４】
2008053831.tif 000006
【図５】
2008053831.tif 000007
【図６】
2008053831.tif 000008
【図７】
2008053831.tif 000009
【図８】
2008053831.tif 000010
【図９】
2008053831.tif 000011
【図１０】
2008053831.tif 000012
【図１１】
2008053831.tif 000013
【図１２】
2008053831.tif 000014
【図１３】
2008053831.tif 000015
【図１４】
2008053831.tif 000016
【図１５】
2008053831.tif 000017